【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
骨分節を安定化させるためのシステムであって、
インプラントと、
前記インプラントに係合可能な結合アセンブリとを備え、前記結合アセンブリが、
前記骨分節に係合可能なアンカ部材と、
前記アンカ部材から延び、前記インプラントを受けるための通路を画成する受容器部材であって、前記通路が、前記受容器部材の対向する端部開口間の長さを有し、前記インプラントが、前記長さに沿って前記端部開口を通って延びる、受容器部材と、
前記インプラントと前記アンカ部材との間に位置決めされた座部部材であって、少なくとも部分的に前記インプラントの周りに延びるインプラント支持表面を備える座部部材と、
少なくとも部分的に前記インプラントの周りに延びるインプラント係合表面を備える、固定部材であって、前記インプラント係合表面が前記インプラント支持表面と位置合せされた状態で保持される間に、前記受容器部材内の固定位置に係合することができる固定部材とを備え、
前記固定位置において、前記インプラントは、前記インプラント支持表面および前記インプラント係合表面によって前記長さに沿って係合される、システム。
【請求項２】
前記アンカ部材が、前記受容器部材内に枢動可能に取り込まれる頭部を有するねじを備え、
前記座部部材が、前記インプラントと前記アンカ部材との間で、前記頭部に隣接して位置決めされ、また、前記座部部材が前記インプラント支持表面を備える、請求項１に記載のシステム。
【請求項３】
前記インプラントが、細長い脊椎ロッドであり、前記受容器部材が、前記アンカ部材を枢動可能に受ける下方部分と、前記下方部分から延びる１対のアームとを備え、前記アームが、前記インプラントを内部に通して受けるための前記通路を画成する、請求項１に記載のシステム。
【請求項４】
前記固定部材が、前記受容器部材とねじ式に係合可能な受容器係合部分と、前記受容器係合部分に結合され、それに対して回転可能な遠位インプラント係合部分とを備え、前記インプラント係合表面が、前記インプラント係合部分の遠位に向けられた面の上に形成される、請求項１に記載のシステム。
【請求項５】
前記アームが、雌ねじを切られ、
前記受容器係合部分が、前記アームに係合可能な雄ねじを切られた本体を備える、請求項４に記載のシステム。
【請求項６】
前記固定部材が、前記本体から近位に延びる上方の分断部分をさらに備え、前記分断部分は、前記分断部分に限界トルクが加えられるとき前記本体から切断することができる、請求項５に記載のシステム。
【請求項７】
前記受容器係合部分が該受容器係合部分を通って延びる中央開口を備え、
前記インプラント係合部分が結合アームを備え、
前記結合アームは、前記中央開口内に延び、前記インプラント係合部分が前記受容器係合部分に対して回転することを可能にしながら、前記インプラント係合部分を前記受容器係合部分と軸方向に固定した状態にて係合させる、請求項４に記載のシステム。
【請求項８】
前記座部部材が、
前記アンカ部材を枢動可能に受けるように構成された遠位に開くソケットを画成する本体と、
前記本体の近位側で前記本体に沿って延びる、前記インプラント支持表面と、
前記インプラントが前記インプラント支持表面と接触して位置決めされるときに、前記インプラントの両側に沿って延びる対向延長部を備える、請求項１に記載のシステム。
【請求項９】
前記座部部材が、前記インプラント支持表面と前記ソケットとの間に延びる通路を備える、請求項８に記載のシステム。
【請求項１０】
前記アンカ部材がねじを備え、前記ねじが、前記受容器部材の遠位部分内で受けられる拡大された頭部と、前記受容器部材の遠位に向けられた開口を通って前記頭部から遠位に延びる軸部とを有し、
前記結合アセンブリがクリップを備え、前記クリップが、前記受容器部材に係合され、前記頭部の遠位側に隣接する前記軸部の周りに位置決めされ、また、前記クリップが前記受容器部材内で前記ねじを枢動可能に取り込む、請求項９に記載のシステム。
【請求項１１】
前記インプラント係合表面が、前記固定部材のインプラント係合部分の遠位面に沿って画成され、
前記インプラントが前記座部部材と前記インプラント係合表面との間に位置決めされ且つ前記固定部材が前記受容器部材に係合した状態で、前記インプラント係合部分が、前記座部部材に対して回転可能に拘束され、前記インプラントに向かい、また前記インプラントから離れるように軸方向に移動可能である、請求項１に記載のシステム。
【請求項１２】
前記座部部材はその両側に軸方向に延びる側部溝を備え、
前記インプラント係合部分はその両側で遠位に延びるフィンガを備え、
前記フィンガは、前記側部溝のうち各々の溝の内部に位置決め可能である、請求項１１に記載のシステム。
【請求項１３】
前記側部溝がそれぞれ近位に向けられた端面を備え、
前記フィンガがそれぞれ遠位に向けられた端面を備え、
前記インプラント支持表面およびインプラント係合表面が前記インプラントに接触するとき、前記遠位に向けられた端面が、前記近位に向けられた端面のうちの各々１つから軸方向に離隔される、請求項１２に記載のシステム。
【請求項１４】
前記固定部材が、前記受容器部材にねじ式に係合する、請求項１に記載のシステム。
【請求項１５】
前記インプラント支持表面および前記インプラント係合表面が、それぞれ凹状である、請求項１に記載のシステム。
【請求項１６】
骨分節を安定化させるためのシステムであって、
インプラントと、
前記インプラントに係合可能な結合アセンブリとを備え、前記結合アセンブリが、
前記骨分節に係合可能なアンカ部材と、
前記アンカ部材に結合され、前記インプラントを受けるための通路を画成する受容器部材と、
前記インプラントと前記アンカ部材との間に位置決めされ、前記インプラントの方に向けられるインプラント支持表面を備える、座部部材と、
インプラント係合表面を備える固定部材であって、前記インプラントを前記インプラント係合表面および前記インプラント支持表面と接触させて位置決めするように、前記固定部材および前記インプラント係合表面を前記受容器部材内で軸方向に動かすことができる、固定部材とを備え、
前記インプラントを前記インプラント支持表面と前記インプラント係合表面との間に係合させるように、前記固定部材が前記受容器部材内で軸方向に動かされるとき、前記固定部材は、前記インプラント係合表面を前記インプラント支持表面に対して回転可能に拘束するように、前記座部部材に係合する、システム。
【請求項１７】
前記通路が、前記受容器部材の対向する端部開口間の長さを含み、
前記インプラントは、前記受容器部材内に位置決めされるとき、前記長さに沿って前記端部開口を通って延び、
前記インプラント支持表面および前記インプラント係合表面が、凹状であり、前記受容器部材内に位置決めされた前記インプラントとともに前記長さに沿って延びる、請求項１６に記載のシステム。
【請求項１８】
前記インプラント係合表面および前記インプラント支持表面がそれぞれ、凹状の湾曲を備え、前記湾曲は、前記インプラントと接触されるときに、前記インプラントのそれぞれの部分の周りに位置決め可能である、請求項１６に記載のシステム。
【請求項１９】
前記座部部材が軸方向に延びる側部溝をその両側に備え、
前記固定部材が前記インプラント係合表面を画成する遠位インプラント係合部分を備え、
前記インプラント係合部分が、その両側で遠位に延びる、前記側部溝のうち各々の溝の内部に位置決め可能なフィンガを備える、請求項１６に記載のシステム。
【請求項２０】
前記側部溝がそれぞれ、近位に向けられた端面を備え、
前記フィンガがそれぞれ、遠位に向けられた端面を備え、
前記インプラント支持表面と前記座部部材との間に前記インプラントが係合させられるとき、前記遠位に向けられた端面が、前記近位に向けられた端面のうちの各々の端面から軸方向に離隔される、請求項１９に記載のシステム。
【請求項２１】
前記インプラントが細長い脊椎ロッドであり、
前記受容器部材が、前記アンカ部材を受けるための下方部分と、前記下方部分から延びる１対のアームとを備え、前記アームが前記インプラントを内部に通して受けるための前記通路を画成する、請求項１６に記載のシステム。
【請求項２２】
前記固定部材が、前記受容器部材とねじ式に係合可能な受容器係合部分と、前記受容器係合部分に結合され、該受容器係合部分に対して回転可能な遠位インプラント係合部分とを備え、
前記インプラント係合表面が、前記インプラント係合部分の遠位に向けられた面の上に形成される、請求項２１に記載のシステム。
【請求項２３】
前記アームが、雌ねじを切られ、
前記受容器係合部分が、前記アームに係合可能な雄ねじを切られた本体を備える、請求項２２に記載のシステム。
【請求項２４】
前記座部部材が、
前記アンカ部材を枢動可能に受けるように構成された遠位に開くソケットを画成する本体と、
前記本体の近位側で前記本体に沿って延びる、前記インプラント支持表面と、
前記インプラントが前記インプラント支持表面と接触して位置決めされるときに、前記インプラントの両側に沿って延びる対向延長部とを備える、請求項１６に記載のシステム。
【請求項２５】
骨分節を安定化させるためのシステムであって、
インプラントと、
前記インプラントに係合可能な結合アセンブリとを備え、前記結合アセンブリが、
前記骨分節に係合可能なアンカ部材と、
前記アンカ部材に結合され、前記インプラントを受けるための通路を画成する受容器部材と、
前記インプラントと前記アンカ部材との間に位置決めされ、前記インプラントの方に向けられるインプラント支持表面を備える座部部材と、
遠位に面するインプラント係合表面を画成するインプラント係合部分を有する、固定部材とを備え、
前記インプラント係合部分および前記座部部材のうちの一方が、少なくとも１つの軸方向に延びる側部溝を備え、前記インプラント係合部分および前記座部部材のうちのもう一方が、少なくとも１つの軸方向に延びるフィンガを備え、
前記インプラントを前記インプラント係合表面と前記インプラント支持表面との間に係合させるために、前記固定部材および前記インプラント係合部分が前記受容器部材内で軸方向に動かされるとき、前記フィンガが、前記少なくとも１つの側部溝内で受けられる、システム。
【請求項２６】
前記固定部材が前記受容器部材内にねじ式に係合するとき、前記インプラント係合表面を前記インプラント支持表面に対して回転可能に拘束するように、前記少なくとも１つのフィンガと前記少なくとも１つの溝とが互いに係合し合う、請求項２５に記載のシステム。
【請求項２７】
前記少なくとも１つの側部溝が近位に向けられた端面を備え、
前記少なくとも１つのフィンガが遠位に向けられた端面を備え、
前記インプラントが前記インプラント係合部分と前記座部部材との間に係合させられるとき、前記遠位に向けられた端面が前記近位に向けられた端面から軸方向に離隔される、請求項２６に記載のシステム。
【請求項２８】
前記少なくとも１つの側部溝が１対の側部溝を含み、前記少なくとも１つのフィンガが１対のフィンガを含み、前記フィンガはそれぞれ、前記側部溝のうちの各々の溝の内部に受けられる、請求項２７に記載のシステム。
【請求項２９】
脊椎ロッドをアンカ部材に固定する方法であって、
動物患者の椎骨と係合するようにサイズ決めされた結合アセンブリを提供するステップを含み、前記結合アセンブリが、
前記椎骨に係合可能なアンカ部材と、前記アンカ部材から延び、前記ロッドを受ける通路を画成し、前記通路に沿ったインプラント支持表面をさらに有する受容器部材と、インプラント係合表面を備える固定部材とを備え、前記方法がさらに、
前記通路内のロッドを前記インプラント支持表面と前記インプラント係合表面との間に係合させるように、前記結合アセンブリを構成するステップと、
前記インプラント係合表面および前記インプラント支持表面をそれぞれ、係合力を分配するように前記ロッドとぴったり接触する構成で提供することによって、前記ロッドにかけられる係合応力を制限するステップとを含む方法。
【請求項３０】
前記インプラント係合表面が、前記インプラント支持表面に対して位置合せされて維持される間に、前記固定部材が、前記受容器部材内の固定位置に係合可能である、請求項２９に記載の方法。
【請求項３１】
前記通路は、前記ロッドが前記通路内に位置決めされるときそれに沿って延びる長さを画成し、
前記固定位置において、前記ロッドは、前記長さに沿って、前記インプラント支持表面および前記インプラント係合表面のそれぞれによって係合される、請求項３０に記載の方法。
【請求項３２】
前記固定部材が前記受容器部材内でねじ式に前進させられるとき、前記インプラント係合表面が回転可能に拘束されるように、前記固定部材が、前記結合アセンブリに係合するように構成される、請求項２９に記載の方法。
【請求項３３】
前記インプラント支持面が、前記受容器部材内の座部部材によって形成され、
前記インプラント係合表面を回転可能に拘束するステップが、前記固定部材から遠位に延びる少なくとも１つのフィンガを、前記座部部材に沿って延びる側部溝内に位置決めするステップを含む、請求項３２に記載の方法。